(57)【要約】【課題】その中空構造の内面に据えられたリブが補強の効能を果たす上、釣合重りとしても作用し、ゴルフクラブヘッド全体の重心を後ろに移すことができるゴルフクラブヘッドを提供しようとすることをその目的とする。【解決手段】ボールに当たる瞬間の直前の姿勢を基準として、前方にあってボールを打撃する打撃面と、ソールを有し、その前縁が前記打撃面を連接して一体になる上、上方に開口を残すようになったヘッド本体と、前記開口をカバーしたクラウンとを有する中空構造のゴルフクラブヘッドにおいて、前記中空構造の、前記打撃面としての部分の背面を除く内面に、補強用リブ群が前記背面と距離を挟むように設置されている上、前記ヘッド本体またはクラウンは、炭素繊維などの軽量化素材からなったものであるゴルフクラブヘッドを提供する。【選択図】図１
0003128676.tif 000002
【実用新案登録請求の範囲】
【請求項１】
ボールに当たる瞬間の直前の姿勢を基準として、
前方にあってその前面でボールを打撃する打撃板と、
ソールを有し、その前縁が前記打撃板と連接して一体になる上、上方に開口を残すようになったヘッド本体と、
前記開口をカバーしたクラウンとを有する中空構造のゴルフクラブヘッドにおいて、
前記中空構造の、前記打撃板の背面を除く内面に、補強用リブ群が前記背面と距離を挟むように設置されていることを特徴とするゴルフクラブヘッド。
【請求項２】
前記補強用リブ群は、前記クラウンの内面に形成されていることを特徴とする請求項１に記載のゴルフクラブヘッド。
【請求項３】
前記補強用リブ群は、前記ソールの内面に形成されていることを特徴とする請求項１に記載のゴルフクラブヘッド。
【請求項４】
前記補強用リブ群は、左右もしくは前後に距離を空けた一連にまたは左右前後に距離を空けて交差した複数の補強用リブからなっていることを特徴とする請求項２または３に記載のゴルフクラブヘッド。
【請求項５】
前記クラウンは、炭素繊維からなったものであることを特徴とする請求項４に記載のゴルフクラブヘッド。
【請求項６】
前記ヘッド本体は、炭素繊維からなったものであることを特徴とする請求項４に記載のゴルフクラブヘッド。
【考案の詳細な説明】
【技術分野】
【０００１】
本考案は、ゴルフクラブヘッドに関し、特に、その中空構造の内面に補強用リブが形成されたゴルフクラブヘッドに関するものである。
【背景技術】
【０００２】
従来より、ゴルフクラブヘッドの重心を調整するために、その中空構造の内面に釣合重りを据えることがある。
【０００３】
ところで、ゴルフクラブへッドとしては、その打球する打撃面が拡大されたものがある。
しかし、打撃面が拡大されると、ゴルフクラブヘッド全体がそれに従って大型化になるので、その重さを減らすために、薄肉化が必要になり、そして、薄肉化に従って補強も必要がある。
【０００４】
前記補強については、通常、図８及び図９に示すように、その前面が打球面となる打撃板５１の背面及びクラウン板５２の裏面にそれぞれ複数のリブ６、６、・・・が格子状に突設されてなる（特許文献１参照）。
【特許文献１】台湾登録実用新案第４２１０５８号
【考案の開示】
【考案が解決しようとする課題】
【０００５】
本考案は、その中空構造の内面に据えられたリブが補強の効能を果たす上、釣合重りとしても作用し、ゴルフクラブヘッド全体の重心を後ろに移すことができるゴルフクラブヘッドを提供しようとすることをその第一の目的とする。
【０００６】
本考案は、重量が増加せず、全体の強度も弱まらないように、打撃面が拡大されたゴルフクラブヘッドを提供しようとすることをその第二の目的とする。
【課題を解決するための手段】
【０００７】
上記目的を達成するために、本考案は、ボールに当たる瞬間の直前の姿勢を基準として、前方にあってその前面がボールを打撃する打撃板と、ソールを有し、その前縁が前記打撃板と連接して一体になる上、上方に開口を残すようになったヘッド本体と、前記開口をカバーしたクラウンとを有する中空構造のゴルフクラブヘッドにおいて、前記中空構造の、前記打撃板の背面を除く内面に、補強用リブ群が前記背面と距離を挟むように設置されているゴルフクラブヘッドを提供する。
【０００８】
なお、前記ヘッド本体またはクラウンは、炭素繊維などの軽量化素材からなったものであるゴルフクラブヘッドを提供する。
【考案の効果】
【０００９】
前記構成によるゴルフクラブヘッドは、前記中空構造の、前記打撃板の背面を除く内面に、補強用リブ群が前記背面と距離を挟むように設置されているので、薄い材料で拵えられても、構造が弱らない上、そのヘッドの重心も後ろに移る。
【００１０】
また、前記ヘッド本体またはクラウンは、炭素繊維などの軽量化素材からなったので、重量が増加せずに打撃面が拡大される。
【考案を実施するための最良の形態】
【００１１】
以下、本考案に関するゴルフクラブヘッドの好適な実施形態を、図面を参照しながら説明する。なお、図中、似ている部分には、同一の参照符号を付する。
【００１２】
まず、図１及び図２を参照しながら本考案の第１の実施形態のゴルフクラブヘッドを説明する。
図１に示すように、本実施形態のゴルフクラブヘッドは、ボールに当たる瞬間の直前の姿勢を基準として、前方にあってその前面１１がボールを打撃する打撃板１０と、ソール２１を有し、その前縁２２が打撃板１０と連接して一体になる上、上方に開口２３を残すようになったヘッド本体２０と、前記開口２３をカバーしたクラウン３０とを有する中空構造のものである。
【００１３】
また、クラウン３０の内面に、補強用リブ群４が打撃板１０の背面１２と２ｃｍほどの距離を挟むように設置されている。
なお、補強用リブ群４は、前後に距離を空けて一連に並んだ複数の補強用リブ４１、４１・・・からなっている。
【００１４】
本実施形態においては、クラウン３０と補強用リブ群４とも、炭素繊維からなり、且つ一体になっているが、異なる材料から結合されてなったものを使用しても良い。
また、この実施形態は、ウッドヘッドが開示されているが、アイアンヘッドにも適用される。
【００１５】
本実施形態のクラウン３０及び補強用リブ群４は、軽量の炭素繊維からなったものであるので、ゴルフクラブヘッドのサイズが打撃面１０を拡大するために大きくなっても、その重量の増加と相殺することができる。また、本実施形態の補強用リブ群４は、クラウン３０に打撃板１０の背面と距離を挟むように設置されているので、重心が従来のものより後ろに偏っている。
【００１６】
次に、図３を参照しながら本実施形態の変形例を説明する。
この変形例における補強用リブ群４は、左右前後に距離を空けて交差した複数の補強用リブ４１、４１・・・からなっている外、他の構造は、前記実施形態例とまったく同じなので、ここでその説明を省く。
【００１７】
そして、図４を参照しながら本実施形態のもう一つの変形例を説明する。
この変形例における補強群リブ４は、それぞれ弧状のものであって、前後に距離を空けて一連に並んでいる複数の補強用リブからなっている外、他の構造は、前記実施形態例とまったく同じなので、ここでその説明を省く。
【００１８】
さらに、図５を参照しながら本実施形態の更なる変形例を説明する。
この変形例における補強用リブ群４は、それぞれ弧状のものであって、左右前後に距離を空けて交差した複数の補強用リブからなっている外、他の構造は、前記実施形態例のとまったく同じなので、ここでその説明を省く。
【００１９】
前記実施形態及びそのいくつかの変形例において、補強用リブ群４はすべてクラウンの内面に設けられているが、その限りではなく、ゴルフクラブヘッドにおける中空構造の、前記打撃板１０の背面１２を除く内面のいずれかの位置に打撃板１０の背面１２と距離を挟むように据えられれば良い。その例を以下のように挙げる。
【００２０】
図６及び図７を参照しながら本考案の第２の実施形態のゴルフクラブヘッドを説明する。
図６に示すように、本実施形態のゴルフクラブヘッドは、そのヘッド本体２０は、炭素繊維からなったものである。それに、ヘッド本体２０のソール２１の内面に補強用リブ群４が一体的に形成されている。この実施形態の他の構造は第１の実施形態とまったく同じであるので、その説明を省く。
【００２１】
本考案は、その精神及び必須の特徴事項から逸脱することなく他のやり方で実施することができる。従って、本明細書に記載した好ましい実施例は例示的なものであり、限定的なものではない。
【産業上の利用可能性】
【００２２】
叙上のように、本考案は、ゴルフクラブヘッドのクラウンと補強用リブ群、またはヘッド本体と補強用リブ群が炭素繊維からなったものであるので、ヘッドの構造が軽量化され、サイズが大きくなっても重量が増加しない。
【００２３】
また、前記打撃板の背面を除く内面に、補強用リブ群が前記背面と距離を挟むように設置されているため、ヘッドの重心が後ろのトーの近くに移るので、ヘッドの慣性モーメント及びスウィング速度が上げられ、ボールの飛行距離を効果的に増大させることができる。
【図面の簡単な説明】
【００２４】
【図１】本考案のゴルフクラブヘッドの第１の実施形態の横断面図である。
【図２】図１におけるクラウンの底面図である。
【図３】図１の変形例におけるクラウンの底面図である。
【図４】図１の変形例におけるクラウンの底面図である。
【図５】図１の変形例におけるクラウンの底面図である。
【図６】本考案のゴルフクラブヘッドの第２の実施形態の横断面図である。
【図７】図６におけるソールの頂面図である。
【図８】従来のゴルフクラブヘッドを説明するための分解斜視図である。
【図９】従来のゴルフクラブヘッドの横断面図である。
【符号の説明】
【００２５】
４  補強用リブ群
１０  打撃板
１１  前面
１２  背面
２０  ヘッド本体
２１  ソール
２２  前縁
２３  開口
３０  クラウン
４１  補強用リブ
【図１】
0003128676.tif 000003
【図２】
0003128676.tif 000004
【図３】
0003128676.tif 000005
【図４】
0003128676.tif 000006
【図５】
0003128676.tif 000007
【図６】
0003128676.tif 000008
【図７】
0003128676.tif 000009
【図８】
0003128676.tif 000010
【図９】
0003128676.tif 000011